(57)【要約】【課題】複数の画質の比較表示が容易にできる表示装置の提供する。【解決手段】本発明の表示装置は、第１の画質の第１画像信号が入力される入力手段と、画像信号の画質を変換するための対応関係を記憶する記憶手段と、前記第１画像信号を前記第１の画質と第２の画質とで比較表示する比較指示を受け付ける指示手段と、画像信号を生成する生成手段と、前記第１画像信号と前記生成手段が生成した画像信号とを表示する表示手段と、を備え、前記記憶手段が前記第２の画質である第２画像信号を前記第１画像信号から生成するための前記対応関係を有している場合に、前記生成手段は前記対応関係に応じて前記第１画像信号から前記第２画像信号を生成し、それ以外の場合に、前記生成手段は、前記第１画像信号に対して所定の輝度変換を行い第３画像信号を生成する、ことを特徴とする。【選択図】図１
2019159182.tif 000002
【特許請求の範囲】
【請求項１】
第１の画質の第１画像信号が入力される入力手段と、
画像信号の画質を変換するための対応関係を記憶する記憶手段と、
前記第１画像信号を前記第１の画質と第２の画質とで比較表示する比較指示を受け付ける指示手段と、
画像信号を生成する生成手段と、
前記第１画像信号と前記生成手段が生成した画像信号とを表示する表示手段と、
を備え、
前記記憶手段が前記第２の画質である第２画像信号を前記第１画像信号から生成するための前記対応関係を有している場合に、前記生成手段は前記対応関係に応じて前記第１画像信号から前記第２画像信号を生成し、
それ以外の場合に、前記生成手段は、前記第１画像信号に対して所定の輝度変換を行い第３画像信号を生成する、
ことを特徴とする表示装置。
【請求項２】
前記第１の画質と前記第２の画質とはダイナミックレンジの範囲が異なる、
ことを特徴とする請求項１に記載の表示装置。
【請求項３】
前記第１の画質での上限の輝度は前記第２の画質での上限の輝度よりも大きく、
前記所定の輝度変換とは、前記第２の画質の上限の輝度より大きい前記第１画像信号の領域の輝度を、前記第２の画質の上限の輝度に変換する処理である、
ことを特徴とする請求項２に記載の表示装置。
【請求項４】
前記対応関係は、画像信号のガンマおよび色域に応じた対応である、
ことを特徴とする請求項１から３のいずれか１項に記載の表示装置。
【請求項５】
前記表示手段は、前記第１画像信号と前記生成手段が生成した画像信号とが重ならないように並べて表示する、
ことを特徴とする請求項１から４のいずれか１項に記載の表示装置。
【請求項６】
前記生成手段は、前記第１画像信号のうち一部の領域から前記第２画像信号または前記第３画像信号を生成し、
前記表示手段は、前記第１画像信号の前記一部の領域以外の領域と前記生成手段が生成した画像信号とを表示する、
ことを特徴とする請求項１から５のいずれか１項に記載の表示装置。
【請求項７】
前記第１画像信号と前記第２の画質の第４画像信号との両方が、１または複数の入力画像信号に含まれているか否かを判定する判定手段をさらに備え、
前記入力手段は前記第１画像信号を含む前記１または複数の入力画像信号が入力され、
前記判定手段が前記両方の画像信号が含まれていると判定した場合は、
前記生成手段は画像信号を生成せず、
前記表示手段は前記第１画像信号と前記第４画像信号とを表示する、
ことを特徴とする請求項１から６のいずれか１項に記載の表示装置。
【請求項８】
第１の画質の第１画像信号を含む１または複数の入力画像信号が入力される入力手段と、
前記第１画像信号を前記第１の画質と第２の画質とで比較表示する比較指示を受け付ける指示手段と、
前記第１画像信号と前記第２の画質の第４画像信号との両方が、前記１または複数の入
力画像信号に含まれているか否かを判定する判定手段と、
前記判定手段が前記両方の画像信号が含まれていると判定していない場合に、前記第１画像信号から前記第４画像信号を生成する生成手段と、
前記第１画像信号と前記第４画像信号とを表示する表示手段と、
を備え、
前記第１の画質と前記第２の画質のうちどちらか一方は所定の画像処理が施されている画像信号の画質であり、
前記第１の画質と前記第２の画質のうちの他方は前記所定の画像処理が施されていない画像信号の画質である、
ことを特徴とする表示装置。
【請求項９】
前記所定の画像処理はルックアップテーブルを用いた処理である、
ことを特徴とする請求項８に記載の表示装置。
【請求項１０】
前記所定の画像処理はカラーディシジョンリストを用いた処理である、
ことを特徴とする請求項８に記載の表示装置。
【請求項１１】
前記第１の画質は、ＨＤＲ（Ｈｉｇｈ  Ｄｙｎａｍｉｃ  Ｒａｎｇｅ）の画質であり、
前記第２の画質は、ＳＤＲ（Ｓｔａｎｄａｒｄ  Ｄｙｎａｍｉｃ  Ｒａｎｇｅ）の画質である、
ことを特徴とする請求項１から１０のいずれか１項に記載の表示装置。
【請求項１２】
画像信号の画質を変換するための対応関係を記憶する記憶手段を備える表示装置の制御方法であって、
第１の画質の第１画像信号が入力される入力工程と、
前記第１画像信号を前記第１の画質と第２の画質とで比較表示する比較指示を受け付ける指示工程と、
画像信号を生成する生成工程と、
前記第１画像信号と前記生成工程において生成された画像信号とを表示する表示工程と、
を含み、
前記生成工程では、前記記憶手段に前記第２の画質である第２画像信号を前記第１画像信号から生成するための前記対応関係が記憶されている場合に、前記対応関係に応じて前記第１画像信号から前記第２画像信号を生成し、
それ以外の場合に、前記生成工程では、前記第１画像信号に対して所定の輝度変換を行い第３画像信号を生成する、
ことを特徴とする表示装置の制御方法。
【請求項１３】
前記第１の画質と前記第２の画質とはダイナミックレンジの範囲が異なる、
ことを特徴とする請求項１２に記載の表示装置の制御方法。
【請求項１４】
前記第１の画質での上限の輝度は前記第２の画質での上限の輝度よりも大きく、
前記所定の輝度変換とは、前記第２の画質の上限の輝度より大きい前記第１画像信号の領域の輝度を、前記第２の画質の上限の輝度に変換する処理である、
ことを特徴とする請求項１３に記載の表示装置の制御方法。
【請求項１５】
前記対応関係は、画像信号のガンマおよび色域に応じた対応である、
ことを特徴とする請求項１２から１４のいずれか１項に記載の表示装置の制御方法。
【請求項１６】
前記表示工程では、前記第１画像信号と前記生成工程において生成された画像信号とが
重ならないように並べて表示する、
ことを特徴とする請求項１２から１５のいずれか１項に記載の表示装置の制御方法。
【請求項１７】
前記生成工程では、前記第１画像信号のうち一部の領域から前記第２画像信号または前記第３画像信号を生成し、
前記表示工程では、前記第１画像信号の前記一部の領域以外の領域と前記生成工程において生成された画像信号とを表示する、
ことを特徴とする請求項１２から１６のいずれか１項に記載の表示装置の制御方法。
【請求項１８】
前記第１画像信号と前記第２の画質の第４画像信号との両方が、１または複数の入力画像信号に含まれているか否かを判定する判定工程をさらに含み、
前記入力工程では前記第１画像信号を含む前記１または複数の入力画像信号が入力され、
前記判定工程において前記両方の画像信号が含まれていると判定された場合は、
前記生成工程では画像信号を生成せず、
前記表示工程では前記第１画像信号と前記第４画像信号とを表示する、
ことを特徴とする請求項１２から１７のいずれか１項に記載の表示装置の制御方法。
【請求項１９】
第１の画質の第１画像信号を含む１または複数の入力画像信号が入力される入力工程と、
前記第１画像信号を前記第１の画質と第２の画質とで比較表示する比較指示を受け付ける指示工程と、
前記第１画像信号と前記第２の画質の第４画像信号との両方が、前記１または複数の入力画像信号に含まれているか否かを判定する判定工程と、
前記判定工程において前記両方の画像信号が含まれていると判定していない場合に、前記第１画像信号から前記第４画像信号を生成する生成工程と、
前記第１画像信号と前記第４画像信号とを表示する表示工程と、
を含み、
前記第１の画質と前記第２の画質のうちどちらか一方は所定の画像処理が施されている画像信号の画質であり、
前記第１の画質と前記第２の画質のうちの他方は前記所定の画像処理が施されていない画像信号の画質である、
ことを特徴とする表示装置の制御方法。
【請求項２０】
前記所定の画像処理はルックアップテーブルを用いた処理である、
ことを特徴とする請求項１９に記載の表示装置の制御方法。
【請求項２１】
前記所定の画像処理はカラーディシジョンリストを用いた処理である、
ことを特徴とする請求項１９に記載の表示装置の制御方法。
【請求項２２】
前記第１の画質は、ＨＤＲ（Ｈｉｇｈ  Ｄｙｎａｍｉｃ  Ｒａｎｇｅ）の画質であり、
前記第２の画質は、ＳＤＲ（Ｓｔａｎｄａｒｄ  Ｄｙｎａｍｉｃ  Ｒａｎｇｅ）の画質である、
ことを特徴とする請求項１２から２１のいずれか１項に記載の表示装置の制御方法。
【請求項２３】
請求項１２から２２のいずれか１項に記載の制御方法の各工程をコンピュータに実行させるためのプログラム。
【発明の詳細な説明】
【技術分野】
【０００１】
本発明は、表示装置およびその制御方法、プログラムに関する。
【背景技術】
【０００２】
近年、放送や映画などの映像制作分野にて、色域の規格としてＢＴ．２０２０、ダイナミックレンジに関する規格としてＰＱ（Ｐｅｒｃｅｐｔｕａｌ  Ｑｕａｎｔｉｚｅｒ）、ＨＬＧ（Ｈｙｂｒｉｄ  Ｌｏｇ−Ｇａｍｍａ）などの新しい規格が策定されている。これらを用いることで、従来より使用されている色域の規格であるＢＴ．７０９やダイナミックレンジに関する規格であるガンマ２．２やガンマ２．４などの規格よりも、広色域で、広いダイナミックレンジ（明るさの幅、範囲）で画像を表示することができる。
【０００３】
ダイナミックレンジは、従来からの規格についてはＳＤＲ（Ｓｔａｎｄａｒｄ  Ｄｙｎａｍｉｃ  Ｒａｎｇｅ）、新しい高ダイナミックレンジの規格についてはＨＤＲ（Ｈｉｇｈ  Ｄｙｎａｍｉｃ  Ｒａｎｇｅ）として区別される。つまり、ＨＤＲとＳＤＲとでは、ＨＤＲの方がダイナミックレンジの範囲が大きい。また、一般的には、ＨＤＲでの上限の輝度はＳＤＲでの上限の輝度よりも大きいことが特徴としてある。ＨＤＲ映像コンテンツを制作する場合は、ＳＤＲとＨＤＲとの見え方の違いを比較・確認しながら映像制作が行われている。
【０００４】
また、ＣＤＬ（Ｃｏｌｏｒ  Ｄｉｃｉｓｉｏｎ  Ｌｉｓｔ；カラーディシジョンリスト）などの画質補正機能を映像に対して適用することがある。このように、映像を補正してより多彩な映像を制作する場合においては、その補正処理をかける前の映像とかけた後の映像とを比較、確認しながら映像コンテンツが制作されている。そのような、映像制作現場にて使用される液晶モニタなどの表示装置においては、画面を左右などの領域に分割し、それぞれの領域に異なる入力信号を表示し、ぞれぞれ異なる画質設定が行える機器が使われている。例えば、特許文献１では左右それぞれの輝度を制御して、ＨＤＲとＳＤＲを比較する技術がある。
【先行技術文献】
【特許文献】
【０００５】
【特許文献１】特開２０１７−１８１７６２号公報
【発明の概要】
【発明が解決しようとする課題】
【０００６】
しかしながら、特許文献１に開示された技術では、ＨＤＲとＳＤＲとの比較表示（以下、ＨＤＲ／ＳＤＲ比較表示と呼ぶ）などを望む場合は、表示装置内で分割された領域ごとに、表示する映像選択および画質設定をユーザが設定する必要がある。そのため、設定に手間がかかるという課題があった。例えば、表示装置の画面を左画面と右画面に分割して、左画面をＢＴ．２０２０かつＰＱの規格でＨＤＲ表示を行う場合は、ＨＤＲ映像に対して色域とガンマの設定およびＨＤＲとしての明るさ設定をして左画面に表示する必要がある。一方、右画面をＢＴ．７０９かつガンマ２．２の規格でＳＤＲ表示を行う場合も、右画面に対して同様に画質設定などを行う必要がある。
【０００７】
具体的には、特許文献１の発明では、ＨＤＲ／ＳＤＲ比較表示を設定すると、ＳＤＲ側の輝度は表示装置によって調整されるが、その他の設定内容の入力や画質設定はユーザが手動で行う必要があった。同様に、ＣＤＬを用いた補正の前後の画質設定を確認したい場合は１つの画像信号に対してＣＤＬ補正なしの設定を行い、他方の画像信号に対してはＣ
ＤＬ補正をかける設定を行う必要があった。
【０００８】
そこで、本発明は、複数の画質の比較表示が容易にできる表示装置の提供を目的とする。
【課題を解決するための手段】
【０００９】
本発明の第１の態様は、
第１の画質の第１画像信号が入力される入力手段と、
画像信号の画質を変換するための対応関係を記憶する記憶手段と、
前記第１画像信号を前記第１の画質と第２の画質とで比較表示する比較指示を受け付ける指示手段と、
画像信号を生成する生成手段と、
前記第１画像信号と前記生成手段が生成した画像信号とを表示する表示手段と、
を備え、
前記記憶手段が前記第２の画質である第２画像信号を前記第１画像信号から生成するための前記対応関係を有している場合に、前記生成手段は前記対応関係に応じて前記第１画像信号から前記第２画像信号を生成し、
それ以外の場合に、前記生成手段は、前記第１画像信号に対して所定の輝度変換を行い第３画像信号を生成する、
ことを特徴とする表示装置である。
【００１０】
本発明の第２の態様は、
第１の画質の第１画像信号を含む１または複数の入力画像信号が入力される入力手段と、
前記第１画像信号を前記第１の画質と第２の画質とで比較表示する比較指示を受け付ける指示手段と、
前記第１画像信号と前記第２の画質の第４画像信号との両方が、前記１または複数の入力画像信号に含まれているか否かを判定する判定手段と、
前記判定手段が前記両方の画像信号が含まれていると判定していない場合に、前記第１画像信号から前記第４画像信号を生成する生成手段と、
前記第１画像信号と前記第４画像信号とを表示する表示手段と、
を備え、
前記第１の画質と前記第２の画質のうちどちらか一方は所定の画像処理が施されている画像信号の画質であり、
前記第１の画質と前記第２の画質のうちの他方は前記所定の画像処理が施されていない画像信号の画質である、
ことを特徴とする表示装置である。
【００１１】
本発明の第３の態様は、
画像信号の画質を変換するための対応関係を記憶する記憶手段を備える表示装置の制御方法であって、
第１の画質の第１画像信号が入力される入力工程と、
前記第１画像信号を前記第１の画質と第２の画質とで比較表示する比較指示を受け付ける指示工程と、
画像信号を生成する生成工程と、
前記第１画像信号と前記生成工程において生成された画像信号とを表示する表示工程と、
を含み、
前記生成工程では、前記記憶手段に前記第２の画質である第２画像信号を前記第１画像信号から生成するための前記対応関係が記憶されている場合に、前記対応関係に応じて前
記第１画像信号から前記第２画像信号を生成し、
それ以外の場合に、前記生成工程では、前記第１画像信号に対して所定の輝度変換を行い第３画像信号を生成する、
ことを特徴とする表示装置の制御方法である。
【００１２】
本発明の第４の態様は、
第１の画質の第１画像信号を含む１または複数の入力画像信号が入力される入力工程と、
前記第１画像信号を前記第１の画質と第２の画質とで比較表示する比較指示を受け付ける指示工程と、
前記第１画像信号と前記第２の画質の第４画像信号との両方が、前記１または複数の入力画像信号に含まれているか否かを判定する判定工程と、
前記判定工程において前記両方の画像信号が含まれていると判定していない場合に、前記第１画像信号から前記第４画像信号を生成する生成工程と、
前記第１画像信号と前記第４画像信号とを表示する表示工程と、
を含み、
前記第１の画質と前記第２の画質のうちどちらか一方は所定の画像処理が施されている画像信号の画質であり、
前記第１の画質と前記第２の画質のうちの他方は前記所定の画像処理が施されていない画像信号の画質である、
ことを特徴とする表示装置の制御方法である。
【発明の効果】
【００１３】
本発明によれば、複数の画質の比較表示が容易にできる。
【図面の簡単な説明】
【００１４】
【図１】実施形態１に係る表示装置の構成を示す図である。
【図２】実施形態１に係る表示制御部の構成を示す図である。
【図３】実施形態１に係る表示種別設定の例を示す図である。
【図４】実施形態１に係るＨＤＲ信号とＳＤＲ信号との対応関係を示す図である。
【図５】実施形態１に係る比較表示の例を示す図である。
【図６】実施形態１に係るＨＤＲ／ＳＤＲ比較の処理フローチャートである。
【図７】実施形態１に係るＬＵＴ比較の処理フローチャートである。
【発明を実施するための形態】
【００１５】
以下に、本発明の好ましい実施の形態を、添付の図面に基づいて詳細に説明する。なお、本発明の技術的範囲は特許請求の範囲によって確定されるものであって、以下の個別の実施形態によって限定されるわけではない。また、実施形態の中で説明されている特徴の組み合わせ全てが、本発明に必須とは限らない。
【００１６】
＜実施形態１＞
以下、図面を参照して、本発明の実施形態１に係る表示装置について説明する。実施形態１の表示装置は、複数の画質の比較表示において、比較に用いる画質の画像信号が表示装置に入力されていない場合であっても、入力画像信号から比較に用いる画像信号を生成することで、異なる画質の画像信号の比較表示を可能にする。なお、本実施形態における画質の違いとは「ＨＤＲの画像信号（ＨＤＲ信号）とＳＤＲの画像信号（ＳＤＲ信号）」、「ＬＵＴが適用されているか否か」、「ＣＤＬが適用されているか否か」、「所定の画像処理が適用されているか否か」による違いを示す。
【００１７】
［表示装置の構成］
図１は、本実施形態における表示装置（映像表示装置）の構成を示す図である。表示装置１００は、入力部１０１、画像処理部１０２、ＵＩ生成合成部１０３、表示制御部１０４、メモリー部１０５、表示部１０６を備える。
【００１８】
入力部１０１は、ＳＤＩ（Ｓｅｒｉａｌ  Ｄｉｇｉｔａｌ  Ｉｎｔｅｒｆａｃｅ）やＨＤＭＩ（登録商標；Ｈｉｇｈ−Ｄｅｆｉｎｉｔｉｏｎ  Ｍｕｌｔｉｍｅｄｉａ  Ｉｎｔｅｒｆａｃｅ）などを介して１または複数の入力画像信号（映像信号）が入力される。入力部１０１は、入力される１または複数の入力画像信号のうち表示する信号を、後述する表示制御部１０４の指示に応じて１または複数選択して、画像処理部１０２へ出力する。
【００１９】
また、入力部１０１はＳＤＩやＨＤＭＩを介して伝送される入力画像信号のメタ情報を取得する機能を備える。例えば、入力部１０１は、ＨＤＭＩで規定されているＩｎｆｏＦｒａｍｅ情報に含まれる、色域がＢＴ．７０９またはＢＴ．２０２０であることを示す情報やダイナミックレンジに関連するＰＱ、ＨＬＧ、ＳＤＲであることを示す情報などを取得が可能である。なお、入力画像信号のメタ情報は、入力画像信号に対してＣＤＬやＬＵＴ（ルックアップテーブル）を用いた階調変換が施されているか否かの情報も含む。
【００２０】
また、カメラなどの撮影装置では、ＳＤＩで規定されているブランキング部のＡＮＣ（アンシラリ）データ情報領域を使用して色域やダイナミックレンジのガンマなどの情報などを伝送するものがある。ここで色域の情報としてＢＴ．２０２０やＢＴ．７０９を示す情報が伝送され、ガンマとしてＨＬＧ／ＰＱ／ガンマ２．２／ガンマ２．４／カメラ特有のＬＯＧデータ出力、であることを示す情報が伝送される。入力部１０１は、このＡＮＣ情報領域を取得解析することで、入力画像信号の情報が取得可能である。入力部１０１は、全ての入力画像信号の情報を表示制御部１０４へ信号情報として出力する。
【００２１】
画像処理部１０２は、表示制御部１０４の指示に応じて、入力部１０１より入力される入力画像信号に対して、色域に応じた画質の処理や、ダイナミックレンジやガンマに応じた画質の処理を行う。また、画像処理部１０２はＣＤＬやＬＵＴを用いた画像信号の階調値の変換、画像信号のブライトネス調整などの画質処理を行うこともできる。画像処理部１０２は、画像処理が施された入力画像信号をＵＩ生成合成部１０３へ出力する。
【００２２】
また、画像処理部１０２は、入力画像信号を、その信号内で左右や上下の複数の領域に分割して、分割した複数の領域に対してそれぞれ異なる画像処理を行うことも可能である。さらに、入力画像信号が複数ある場合は、その複数の入力画像信号それぞれに異なる画像処理を行うことも可能である。なお、画像処理部１０２は、入力画像信号によっては、ＨＬＧやＰＱなどの規格に応じたＨＤＲ信号を生成する処理や、ガンマ２．２などの規格に応じたＳＤＲ信号を生成する処理が可能である。なお、カメラ特有のＬＯＧなどの規格に応じた入力画像信号をＨＤＲ信号およびＳＤＲ信号に変換する画質処理も可能であるとする。このように画像処理部１０２は、画像信号を生成することも可能であるので生成部であるとも言える。
【００２３】
ＵＩ生成合成部１０３は、画像処理部１０２から入力される複数の画像信号を、合成して合成信号として表示部１０６へ出力する。なお、合成信号を生成するための複数の画像信号の配置などの指示は表示制御部１０４により入力されるものとする。なお、ＵＩ生成合成部１０３は、ＵＩ（Ｕｓｅｒ  Ｉｎｔｅｒｆａｃｅ）としてメニューなどの画面を描画・生成して上述の複数の画像信号と合成してもよい。
【００２４】
表示制御部１０４は、メモリー部１０５に記憶されたプログラムを実行して、表示装置１００の各機能部の制御を行う演算処理回路である。表示制御部１０４は、ユーザからの比較を行うための指示等に応じて、比較表示に用いるための画像信号を選択し、各機能部
を制御することで画質の異なる画像信号の比較表示を実現する。図２は、表示制御部１０４の構成を示す図である。表示制御部１０４は、指示部２０１、判定部２０２、制御部２０３を備える。
【００２５】
指示部２０１は、まず、ユーザからの指示として表示種別設定（比較指示）をボタンなどを介して受け付ける（入力される）。つまり、指示部２０１は、ある入力画像信号を所定の画質と所定の画質以外の画質とで比較表示する指示を受け付ける。ここで、図３に、本実施形態における表示装置１００の比較表示の表示種別設定（比較指示）の例を示す。本実施形態では、表示種別設定の設定値として、「ＨＤＲ／ＳＤＲ比較」、「ＬＵＴ比較」、「画像処理比較」または「オフ（比較表示しない）」という設定が可能である。「ＨＤＲ／ＳＤＲ比較」は、ＨＤＲ信号とＳＤＲ信号とを並べて表示する比較を示している。ここでＨＤＲ信号やＳＤＲ信号におけるガンマや色域は、そのダイナミックレンジに応じたものであれば任意のものでよい。「ＬＵＴ比較」は、ＬＵＴが適用された画像信号と、ＬＵＴが適用されていない信号とを並べて表示する比較を示している。「画像処理比較」は所定の画像処理が施された画像信号と、所定の画像処理が施されていない画像信号とを表示する比較を示している。なお、ＬＵＴの適用は画像処理の一例でもある。従って、例えば、ＬＵＴなどを用いた、ＨＤＲ信号からＳＤＲ信号の生成や、ＳＤＲ信号からＨＤＲ信号の生成も画像処理の一例であるといえる。この場合、例えば、ＨＤＲ信号からＳＤＲ信号を画像処理によって生成するのであれば、ＨＤＲ信号が画像処理が施されていない画像信号であり、ＳＤＲ信号が画像処理が施された画像信号であるといえる。なお、表示種別設定にはＣＤＬの適用がない画像信号とＣＤＬの適用がある画像信号との比較比較表示を設定する「ＣＤＬ比較」があってもよい。指示部２０１は、指示された表示種別設定を判定部２０２に出力する。
【００２６】
なお、表示種別設定は、ユーザからの入力に限らない。例えば、指示部２０１は、入力部１０１から信号情報を取得して、ＨＤＲ信号が入力されていれば「ＨＤＲ／ＳＤＲ比較」、ＬＵＴが施された画像信号が入力されていれば「ＬＵＴ比較」というように表示種別設定（比較指示）を設定してもよい。
【００２７】
判定部２０２は、指示部２０１から表示種別設定が入力されると、入力部１０１より入力される信号情報を取得する。判定部２０２は、取得した信号情報と表示種別設定に応じて、１または複数の入力画像信号に表示種別設定に対応した信号が含まれているか否かを判定する。どのような入力画像信号が入力されているかは、信号情報に含まれるガンマの情報などで判定することができ、例えば、ガンマがＰＱであればＨＤＲ信号、ガンマ２．２であればＳＤＲ信号である。例えば、判定部２０２は、表示種別設定が「ＨＤＲ／ＳＤＲ比較表示」であれば、１または複数の入力画像信号にＨＤＲ信号とＳＤＲ信号とが共に含まれているか否かを判定する。つまり、判定部２０２は、比較表示に必要な２つの信号が「共に（両方）含まれている」か「どちらかのみが含まれている」かを判定する。なお、本実施形態では、比較表示に必要な２つの信号のうちの少なくともどちらか一方は入力画像信号として入力されていると仮定するが、どちらも入力されていない場合を想定してもよい。その場合は、例えば、表示装置１００は、比較表示を行わないとすればよい。
【００２８】
判定部２０２は、判定結果と表示種別設定から比較表示に用いる１または複数の入力画像信号を選択する。例えば、表示種別設定が「ＨＤＲ／ＳＤＲ比較表示」であり、かつ、判定結果が「共に含まれている」のであれば、制御部２０３は、含まれていると判定された当該２つの入力画像信号を比較表示に用いると選択する。また、例えば、表示種別設定が「ＨＤＲ／ＳＤＲ比較表示」であり、かつ、判定結果が「どちらかのみが含まれている」のであれば、判定部２０２は、含まれていると判定された当該１つの入力画像信号を比較表示に用いると選択する。判定部２０２は、選択した比較表示に用いる信号を示す情報を制御部２０３に出力する。
【００２９】
制御部２０３は、判定部２０２により選択された入力画像信号に対して施す画像処理を決定する。そして、制御部２０３は、入力部１０１に選択した１または複数の入力画像信号の出力および、画像処理部１０２に１または複数の画質処理を指示する。なお、表示種別設定によって制御部２０３が行う指示が異なるため、制御部２０３が各機能部に行う指示については後述する。
【００３０】
メモリー部１０５は、表示制御部１０４が各機能部を制御するために用いるプログラムやパラメータを記憶するハードディスク等の不揮発性の記憶媒体や、半導体メモリー等の揮発性の記憶媒体である。また、メモリー部１０５は、ＨＤＲ信号からＳＤＲ信号を生成するための、またはＨＤＲ信号からＳＤＲ信号を生成するための、複数の対応関係（ＬＵＴや関数など）を記憶している。具体的には、例えば、図４に示すようなＨＤＲ信号とＳＤＲ信号とを相互に変換するために用いることができる対応関係をメモリー部１０５が記憶している。なお、相互である必要はなく、一方的に変換可能である対応関係であってもよい。図４の例では、色域ＢＴ．２０２０でありガンマがＰＱのＨＤＲ信号と、色域ＢＴ．７０９でありガンマ２．４のＳＤＲ信号とが対応関係にある。つまり、色域ＢＴ．２０２０でありガンマがＰＱのＨＤＲ信号から、色域ＢＴ．７０９でありガンマ２．４のＳＤＲ信号を当該対応関係を用いて生成することが可能であり、その逆も可能である。この複数の対応関係は、ＨＤＲ信号の色域やガンマとＳＤＲ信号の色域やガンマとの関係から事前に作成されているものとする。なお、この対応関係は、本実施形態ではメモリー部１０５の記憶容量や対応関係の作成の人的稼動の関係上、一部の対応関係を記憶しているにすぎないものとする。例えば、図４の例であれば、色域ＡでありガンマＣであるＨＤＲ信号に対応関係のあるＳＤＲ信号をメモリー部１０５は有しない。なお、対応関係は、色域とガンマに応じたものに限らず、例えば、解像度などを考慮した対応関係であってもよい。同様に、メモリー部１０５は、画像信号に対して施すＬＵＴやＣＤＬ、画像処理の情報などを記憶している。
【００３１】
表示部１０６は、ＵＩ生成合成部１０３から出力される合成信号に基づいて画面に画像を表示する。例えば、表示部１０６は、液晶パネルとバックライトとを備えた液晶ディスプレイでもよいし、自発光型の有機ＥＬディスプレイであってもよい。なお、表示部１０６は、スクリーンなどの投影対象物に画像を投影して表示するプロジェクタであってもよい。
【００３２】
次に、本実施形態における表示部１０６が表示する比較表示の例を図５に示す。図５（Ａ）は「ＨＤＲ／ＳＤＲ比較」が表示種別設定として入力されており、表示装置１００の左画面にＨＤＲの画像信号を、右画面にＳＤＲの画像信号を表示している。また、ここでは１つの画像信号の左半分の画質がＨＤＲであり、右半分がＳＤＲである。なお、本実施形態では表示部１０６が横長な画面を有しているため、画面を左右に分割しているが、上下に分割してもよいし、所定の領域のみＨＤＲとし所定の領域以外をＳＤＲにしてもよい。なお、「ＨＤＲ／ＳＤＲ比較」ではなく、例えば、「ダイナミックレンジが１０４の画像信号とダイナミックレンジが１０２の画像信号との比較」と設定されてもよい。
【００３３】
図５（Ｂ）は「ＬＵＴ比較」が表示種別設定として入力されており、表示装置１００の左画面にＬＵＴが適用された画像信号を、右画面にＬＵＴが適用されていない画像信号を表示している。また、ここでは１つの画像信号の左半分がＬＵＴが適用されており、右半分がＬＵＴが適用されていない。また、ここで示したＬＵＴの比較表示と同様に、ＣＤＬの適用および不適用の比較なども可能である。
【００３４】
図５（Ｃ）は「画像処理比較」が表示種別設定として入力されており、表示装置１００の左画面に画像処理が適用された画像信号を、右画面に画像処理が適用されていない画像
信号を表示している。また、ここでは１つの画像信号の左半分が画像処理が適用されており、右半分が画像処理が適用されていない。
【００３５】
また、図５（Ｄ）は、図５（Ａ）と同様に「ＨＤＲ／ＳＤＲ比較」が表示種別設定として入力されており、表示装置１００の左画面にＨＤＲの画像信号を、右画面にＳＤＲの画像信号を表示している。しかし、図５（Ａ）とは異なり、同じ画像信号から生成されたＨＤＲの画像信号およびＳＤＲの画像信号をそれぞれ縮小し、お互いに重ならないように並べて表示する。なお、本実施形態では表示部１０６が横長な画面を有しているため、横方向に並べているが、縦方向に画像信号を並べてもよい。図５（Ｄ）の示す比較表示では、図５（Ａ）の示す比較表示と比べ画像信号の全体から画質の違いを把握することができる。
【００３６】
［ＨＤＲ／ＳＤＲ比較における処理フローチャート］
次に、本実施形態における、表示装置１００のＨＤＲ／ＳＤＲ比較表示の処理を図６が示すフローチャートを用いて説明する。本フローチャートは、例えば、ユーザからのボタンなどの操作で、図３に示した表示種別設定を「ＨＤＲ／ＳＤＲ比較」として指示部２０１に入力されることで処理が開始される。なお、本フローチャートでは、簡単のために、入力部１０１に対して「ＨＤＲ信号のみの１つの画像信号」または「ＳＤＲ信号のみの１つの画像信号」または「ＨＤＲ信号とＳＤＲ信号との２つの画像信号」が入力される３パターンの入力があるとする。なお、入力される画像信号の信号情報は任意の色域やガンマを示す情報であるとする。
【００３７】
（Ｓ１００１）
判定部２０２は、入力部１０１から入力されている信号情報を取得し、指示部２０１から取得した表示種別設定に応じた２つの入力画像信号が入力されているか否かを判定する。表示種別設定に応じた信号が入力されている場合は処理工程はＳ１００２へ進み、入力されていない場合はＳ１００４へ進む。具体的には、判定部２０２は、「ＨＤＲ／ＳＤＲ比較」が表示種別設定として設定されているため、ＨＤＲ信号とＳＤＲ信号との両方が入力されているか否かを判定する。つまり、ＨＤＲ信号とＳＤＲ信号との両方が入力されている場合には、処理工程はＳ１００２に進み、ＨＤＲ信号とＳＤＲ信号とのいずれか一方のみの画像信号が入力されている場合には、処理工程はＳ１００４に進む。
【００３８】
（Ｓ１００２）
制御部２０３は、Ｓ１００１で両方の入力画像信号があると判定される場合に、入力部１０１に対してＨＤＲ信号とＳＤＲ信号との２つの入力画像信号を画像処理部１０２に出力するように指示をする。入力部１０１は指示された２つの入力画像信号を画像処理部１０２に出力する。
【００３９】
（Ｓ１００３）
制御部２０３は、画像処理部１０２に対して、２つの入力画像信号それぞれの信号情報に応じた画質制御を指示する。具体的には、画像処理部１０２は、ＨＤＲ信号とＳＤＲ信号とのそれぞれに適した画質設定で入力画像信号の輝度を調整する。例えば、画像処理部１０２は、ＨＤＲ画像の場合はＨＬＧやＰＱ、ＳＤＲ画像の場合はガンマ２．２などに応じた輝度調整を入力画像信号に対して適用する。画像処理部１０２は調整した２つの入力画像信号をＵＩ生成合成部１０３に出力して、ＵＩ生成合成部１０３は２つの画像信号を並べるような配置で合成して合成信号として表示部１０６に出力する。表示部１０６は例えば、合成信号を図５（Ｄ）に示すように表示する。
【００４０】
（Ｓ１００４）
Ｓ１００１で両方の入力画像信号があると判定されていない場合、制御部２０３は、信
号情報、および表示種別設定をもとに、比較表示に必要な画像信号を生成可能であるか判定する。つまり、ＨＤＲ信号とＳＤＲ信号のいずれか一方のみが入力部１０１に入力されているため、制御部２０３は入力画像信号から他方の画像信号を生成可能であるかを判定する。
【００４１】
具体的には、制御部２０３は、入力画像信号がＨＤＲ信号であれば、メモリー部１０５が記憶している対応関係を用いて入力画像信号からＳＤＲ信号を生成できるか否かを判定する。制御部２０３は、入力画像信号がＳＤＲ信号であれば、対応関係を用いて入力画像信号からＨＤＲ信号を生成できるか否かを判定する。つまり、制御部２０３は、入力画像信号が含まれる対応関係をメモリー部１０５が記憶しているか否かで判定する。生成が可能な場合はＳ１００５、生成が不可能な場合はＳ１００６に進む。
【００４２】
（Ｓ１００５）
制御部２０３は、入力部１０１に入力画像信号を画像処理部１０２に出力するように指示して、入力部１０１は入力画像信号を画像処理部１０２に出力する。さらに、制御部２０３は、入力画像信号から対応関係にある画像信号を生成するように画像処理部１０２に指示する。なお、その際に制御部２０３は、画像処理部１０２に、メモリー部１０５が記憶する対応関係のうち画像信号の生成に必要なものも出力する。画像処理部１０２は、対応関係に基づき、入力画像信号から対応関係のある画像信号（生成画像）を生成する。入力画像信号と生成信号はＳ１００５と同様の輝度調整がされて、ＵＩ生成合成部１０３に出力される。さらに、ＵＩ生成合成部１０３が２つの画像信号を合成した合成信号を表示部１０６が表示する。
【００４３】
なお、画像処理部１０２は、入力画像信号の一部の領域から生成信号を生成してもよい。つまり、例えば、入力画像信号がＨＤＲ信号の場合、画像信号の一部領域からＳＤＲ信号が画像処理部１０２において生成されてもよい。このような、生成信号が生成されると、例えば、入力画像信号の上述の一部領域以外の領域と生成信号とによって、図５（Ａ）のように左右でダイナミックレンジの異なる画像信号が表示される。
【００４４】
（Ｓ１００６）
制御部２０３は、簡易的（擬似的）な画質処理を行う指示を画像処理部１０２に対して行う。具体的には、画像処理部１０２は、表示種別設定が「ＨＤＲ／ＳＤＲ比較」であり、ＨＤＲ信号が入力されている場合は、まず、ＨＤＲ信号にはＳ１００３と同様のＨＤＲに応じた画質処理を行う。そして、画像処理部１０２は、例えば、ＨＤＲ信号の輝度のうち１００ｃｄ／ｍ２より大きい領域を、１００ｃｄ／ｍ２に輝度変換する処理をして擬似的なＳＤＲ信号（擬似画質信号）を生成する。これは、ＨＤＲ信号での上限の輝度はＳＤＲ信号での上限の輝度よりも大きいためである。生成された擬似画質信号とＨＤＲ信号とはＵＩ生成合成部１０３で合成され、表示部１０６によって表示される。ここで、例えば、１００ｃｄ／ｍ２とはＳＤＲ信号の輝度範囲の上限の値を示しているが、これに限らず、例えば、９０ｃｄ／ｍ２などでもよい。また、ＨＤＲ信号が入力されている場合には、ＨＤＲ信号の輝度に対して所定の輝度低下率を乗算して、ＳＤＲ信号のダイナミックレンジにおさまるように輝度変換した輝度の画像信号が擬似画質信号として表示されてもよい。また、画像処理部１０２は、ＳＤＲ信号が入力画像信号として入力されている場合には、例えば、ＨＤＲ信号とＳＤＲ信号とのダイナミックレンジの比率をＳＤＲ信号の輝度に対して乗算することで擬似画質信号を生成してもよい。なお、上述のＳ１００５と同様に、例えば、入力画像信号の一部の領域から擬似画質信号が画像処理部１０２によって生成されてもよい。このように、対応関係を用いて生成することのできない画像信号においても、比較表示に用いる画質に近い擬似画質信号が生成され表示されることで、ユーザは擬似的ではあるが、比較指示した２つの画質の差を把握することができる。
【００４５】
なお、上述のフローチャートでは、入力画像信号は、「ＨＤＲ信号のみの１つの画像信号」または「ＳＤＲ信号のみの１つの画像信号」または「ＨＤＲ信号とＳＤＲ信号の両方の画像信号」が入力される３パターンである。しかし、複数のＳＤＲ信号や複数のＨＤＲ信号、ＳＤＲ信号とＨＤＲ信号とがそれぞれ複数ずつ入力部１０１に入力される場合でもよい。その場合は、事前にＨＤＲ信号とＳＤＲ信号ごとに、比較表示に利用すべき画像信号に対応する信号情報を優先順位付けしておくとよい。そして、判定部２０２は、複数の入力画像信号の中から信号情報と優先順位とに応じて比較表示に用いる１または２つの画像信号を選択すればよい。なお、メモリー部１０５が記憶している対応関係に対応した（含まれる）信号情報が、それ以外の信号情報の優先順位よりも高い優先順位に設定されるようにするとよい。
【００４６】
なお、表示種別設定は上述のようなＨＤＲ信号とＳＤＲ信号との２種類の比較表示だけでなく、３以上の種類の比較表示が設定されてもよい。たとえば、ガンマがＨＬＧのＨＤＲ信号とＰＱのＨＤＲ信号と任意のガンマのＳＤＲ信号との３つの画質の比較表示として設定されてもよい。このような表示種別設定が入力されている場合においても、この３つの画質に対応する画像信号が入力されているかを判定部２０２が判定する。判定されて当該３つの画像信号が入力されていれば、３つの画像信号に対して輝度調整等をして表示される。一方、当該３つの画像信号が入力されていなければ、入力画像信号から他の画質の画像信号を生成できるか判定し、他の画質の画像信号の生成または擬似的な他の画質の画像信号を生成すればよい。
【００４７】
［ＬＵＴ比較における処理フローチャート］
次に、本実施形態における、表示装置１００のＬＵＴ比較表示の処理を図７が示すフローチャートを用いて説明する。本フローチャートは、例えば、ユーザからのボタンなどの操作で、図３に示した表示種別設定を「ＬＵＴ比較」として指示部２０１に入力されて処理が開始される。なお、本フローチャートでは、簡単のために、入力部１０１に対して「ＬＵＴ適用された１つの画像信号」、「ＬＵＴ適用されていない１つの画像信号」または「ＬＵＴ適用された画像信号とされていない画像信号の２つの画像信号」の３パターンが入力される。なお、入力画像信号の信号情報はＬＵＴが適用されているか否かを示す情報であるとする。
【００４８】
（Ｓ２００１）
入力部１０１は、１または複数の入力画像信号の信号情報を判定部２０２に出力する。判定部２０２は、表示種別設定が「ＬＵＴ比較」であるため、１または複数の入力画像信号からＬＵＴ適用された画像信号とＬＵＴ適用されていない画像信号とが両方入力されているか否かを、信号情報に基づき判定する。両方の画像信号が入力されていると判定される場合は、工程はＳ２００２に遷移して、１つの画像信号のみが入力されていると判定される場合は、工程はＳ２００３に遷移する。
【００４９】
（Ｓ２００２）
制御部２０３は、入力部１０１に対して、判定された２つの画像信号であるＬＵＴ適用された画像信号とＬＵＴ適用されていない画像信号とを画像処理部１０２に出力するように指示する。
【００５０】
（Ｓ２００３）
制御部２０３は、１つの入力画像信号から他の画質の画像信号を生成するように画像処理部１０２に指示する。具体的には、画像処理部１０２は、入力画像信号がＬＵＴが適用されていない場合は、メモリー部１０５が記憶しているＬＵＴの情報に応じて、入力画像信号に対してＬＵＴを施こす。一方、画像処理部１０２は、入力画像信号がＬＵＴが適用されている場合は、メモリー部１０５が記憶しているＬＵＴの情報に応じて、入力画像信
号に対してＬＵＴの適用を取り消す処理を施こす。これにより、ＬＵＴが適用された画像信号とＬＵＴが適用されていない画像信号とを表示装置１００は有することができる。
【００５１】
（Ｓ２００４）
制御部２０３は、ＬＵＴが適用された画像信号とＬＵＴが適用されていない画像信号に対して画質制御を行うように画像処理部１０２に指示する。これは、上述のように、画像信号の色域やダイナミックレンジのガンマなどに応じた処理である。画質制御された２つの画像信号は、ＵＩ生成合成部１０３に出力される。ＵＩ生成合成部１０３は、２つの画像信号から合成信号を生成して、表示部１０６へ出力する。表示部１０６は、入力された合成信号を表示する。
【００５２】
このように表示種別設定が「ＬＵＴ比較」である場合は、ＬＵＴの情報はメモリー部１０５が記憶しているため、「ＨＤＲ／ＳＤＲ比較」のように擬似的な画質の画像信号の生成を行わないフローチャートをとる。なお、メモリー部１０５がＬＵＴを記憶していない場合は、ＬＵＴに対応するような関数により擬似的なＬＵＴを画像信号に施すような処理を行ってもよい。この処理によれば、「ＨＤＲ／ＳＤＲ比較」のフローチャートと同様の工程で比較表示を行うこともできる。なお、「ＬＵＴ比較」に限らず、「ＣＤＬ比較」や「画像処理比較」についても、本フローチャートのＳ２００１〜Ｓ２００４の説明における「ＬＵＴ」を「ＣＤＬ」や「画像処理」と読み替えることで実現可能である。
【００５３】
［効果］
以上より、表示種別設定と入力画像信号の信号情報とに応じて、表示装置が比較する画像信号を選択または生成することにより、異なる画質の画像信号の比較表示を実現できるため、ユーザが比較表示をするための画像信号に対する設定を細かく行う必要がない。このため、ユーザが所望する画質に応じた比較表示を容易に実現することができる。
【００５４】
なお、上記の実施形態や変形例の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ＡＳＩＣ、ＦＰＧＡ、ＤＳＰなどのハードウェアによって実現されてもよいし、そうでなくてもよい。例えば、装置が、プロセッサーと、制御プログラムが格納されたメモリとを有していてもよい。そして、装置が有する少なくとも一部の機能部の機能が、プロセッサーがメモリから制御プログラムを読み出して実行することにより実現されてもよい。
【００５５】
（その他の実施形態）
本発明は、上記の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５６】
１００  表示装置
１０１  入力部
１０２  画像処理部
１０４  表示制御部
１０５  メモリー部
１０６  表示部
２０１  指示部
【図１】
2019159182.tif 000003
【図２】
2019159182.tif 000004
【図３】
2019159182.tif 000005
【図４】
2019159182.tif 000006
【図５】
2019159182.tif 000007
【図６】
2019159182.tif 000008
【図７】
2019159182.tif 000009